(57)【要約】【課題】製造工程能力及び微小粒子の影響により、画素内の駆動トランジスタに不正常な短絡或いは電流過大現象が発生して電圧源が直接ＯＬＥＤに加えられて、ＯＬＥＤが輝き過ぎたり、或いは短絡し、ＯＬＥＤの短絡により電圧源が直接共同電極部分に加えられて全体のパネルが作業不能となったり、製造工程能力及び微小粒子の影響により画素内の駆動トランジスタとＯＬＥＤが同時短絡して画素内のＯＬＥＤ素子が発光不能となり欠陥を発生する現象の解決。【解決手段】駆動トランジスタとＯＬＥＤの間にバラストレジスタを増設し、並びに駆動トランジスタ、バラストレジスタ、ＯＬＥＤ、或いはバラストレジスタとＯＬＥＤで組成されたカスケード回路を冗長方式で提供し、上述の現象を抑止し、これによりパネルの歩留りを高めると共に、パネルの表示の均一性を増す。【選択図】        図２
2004247130.tif 000002
【特許請求の範囲】
【請求項１】
アクティブマトリックス有機発光ダイオードパネルの歩留りと均一性を向上する装置において、このパネルが複数の画素ユニット（１０）で組成され、各画素ユニット（１０）が、
スイッチングトランジスタ（１）とされ、その上にゲート（１１）、ドレイン（１２）とソース（１３）を具え、該ソース（１３）とゲート（１１）がそれぞれデータライン（７）とセレクトライン（６）に連接された、上記スイッチングトランジスタ（１）と、
駆動トランジスタ（２）とされ、その上に、ゲート（２２）、ドレイン（２３）とソース（２１）を具え、ソース（２１）が電圧源（８）入力端に連接され、ゲート（２２）がスイッチングトランジスタ（１）のソース（１３）に連接された、上記駆動トランジスタ（２）と、
保存素子（３）とされ、その一端が上述の駆動トランジスタ（２）のソース（２１）に連接されるか共同電極に連接され、もう一端が上述のスイッチングトランジスタ（１）のソース（１３）と駆動トランジスタ（２）のゲート（２２）に連接された、上記保存素子（３）と、
バラストレジスタ（４）とされ、その一端が上述の駆動トランジスタ（２）のドレイン（２３）に連接された、上記バラストレジスタ（４）と、
有機発光ダイオード（５）とされ、その入力端（５１）が上述のバラストレジスタ（４）の一端（４２）に連接され、出力端（５２）が共同電極に連接された、上記有機発光ダイオード（５）と、
を具え、画素ユニット（１０）の駆動トランジスタ（２）及び有機発光ダイオード（５）が短絡時に、バラストレジスタ（４）により電圧源（８）及び共同電極が共に直接短絡するのを防止し、全体のパネルに点欠陥があっても正常に作業できることを特徴とする、アクティブマトリックス有機発光ダイオードパネルの歩留りと均一性を向上する装置。
【請求項２】
前記スイッチングトランジスタ（１）及び駆動トランジスタ（２）がｎチャネル或いはｐチャネルのＭＯＳＦＥＴ或いはＴＦＴのいずれかで形成されたことを特徴とする、請求項１に記載のアクティブマトリックス有機発光ダイオードパネルの歩留りと均一性を向上する装置。
【請求項３】
前記保存素子（３）がコンデンサで組成されたことを特徴とする、請求項１に記載のアクティブマトリックス有機発光ダイオードパネルの歩留りと均一性を向上する装置。
【請求項４】
前記バラストレジスタ（４）が抵抗器で組成されたことを特徴とする、請求項１に記載のアクティブマトリックス有機発光ダイオードパネルの歩留りと均一性を向上する装置。
【請求項５】
前記バラストレジスタ（４）が可変抵抗器で組成されたことを特徴とする、請求項１に記載のアクティブマトリックス有機発光ダイオードパネルの歩留りと均一性を向上する装置。
【請求項６】
前記バラストレジスタ（４）が抵抗特性を具えた素子で組成されたことを特徴とする、請求項１に記載のアクティブマトリックス有機発光ダイオードパネルの歩留りと均一性を向上する装置。
【請求項７】
アクティブマトリックス有機発光ダイオードパネルの歩留りと均一性を向上する装置において、このパネルが複数の画素ユニット（１０）で組成され、各画素ユニット（１０）が、
スイッチングトランジスタ（１）とされ、その上にゲート（１１）、ドレイン（１２）とソース（１３）を具え、該ドレイン（１２）とゲート（１１）がそれぞれデータライン（３０）とセレクトライン（４０）に連接された、上記スイッチングトランジスタ（１）と、
冗長式カスケード接続回路（９）とされ、上述のスイッチングトランジスタ（１）のソース（１３）に連接された、上記冗長式カスケード接続回路（９）と、保存素子（３）とされ、その一端が上述の冗長式カスケード接続回路（９）の電圧源（８）入力端に連接され、もう一端が上述のスイッチングトランジスタ（１）のソース（１３）に連接された、上記保存素子（３）と、
を具え、上述の冗長式カスケード接続回路（９）がパネルの点欠陥の発生を防止することを特徴とする、アクティブマトリックス有機発光ダイオードパネルの歩留りと均一性を向上する装置。
【請求項８】
前記冗長式カスケード接続回路（９）が駆動トランジスタ（２）、バラストレジスタ（４）及び有機発光ダイオード（５）を直列に連接して組成されたことを特徴とする、請求項７に記載のアクティブマトリックス有機発光ダイオードパネルの歩留りと均一性を向上する装置。
【請求項９】
前記駆動トランジスタ（２）がゲート（１１）、ドレイン（１２）及びソース（１３）を具え、ソース（１３）が電圧源（８）入力端に連接され、ゲート（１１）がスイッチングトランジスタ（１）のソース（１３）と保存素子（３）の一端に連接され、ドレイン（１２）がバラストレジスタ（４）の一端に連接されたことを特徴とする、請求項８に記載のアクティブマトリックス有機発光ダイオードパネルの歩留りと均一性を向上する装置。
【請求項１０】
前記バラストレジスタ（４）の一端（４１）が駆動トランジスタ（２）のドレイン（２３）に連接され、もう一端（４２）が有機発光ダイオード（５）の入力端（５１）に連接されたことを特徴とする、請求項８に記載のアクティブマトリックス有機発光ダイオードパネルの歩留りと均一性を向上する装置。
【請求項１１】
前記有機発光ダイオード（５）の入力端（５１）がバラストレジスタ（４）の一端（４２）に連接され、有機発光ダイオード（５）の出力端（５２）が共同電極に連接されたことを特徴とする、請求項８に記載のアクティブマトリックス有機発光ダイオードパネルの歩留りと均一性を向上する装置。
【請求項１２】
前記画素ユニット（１０）それぞれに複数の冗長式カスケード接続回路（９）が連接されたことを特徴とする、請求項７に記載のアクティブマトリックス有機発光ダイオードパネルの歩留りと均一性を向上する装置。
【請求項１３】
アクティブマトリックス有機発光ダイオードパネルの歩留りと均一性を向上する装置において、このパネルが複数の画素ユニット（１０）で組成され、各画素ユニット（１０）が、
スイッチングトランジスタ（１）とされ、その上にゲート（１１）、ドレイン（１２）とソース（１３）を具え、該ドレイン（１２）とゲート（１１）がそれぞれデータライン（３０）とセレクトライン（４０）に連接された、上記スイッチングトランジスタ（１）と、
駆動トランジスタ（２）とされ、その上に、ゲート（２２）、ドレイン（２３）とソース（２１）を具え、ソース（１３）が電圧源（８）入力端に連接され、ゲート（２２）がスイッチングトランジスタ（１）のソース（１３）に連接された、上記駆動トランジスタ（２）と、
保存素子（３）とされ、その一端が上述の駆動トランジスタ（２）の電圧源（８）入力端或いは共同電極に連接され、もう一端が上述のスイッチングトランジスタ（１）のソース（１３）と駆動トランジスタ（２）のゲート（２２）に連接された、上記保存素子（３）と、
冗長式カスケード接続回路（２０）とされ、上述の駆動トランジスタ（２）のドレイン（２３）に連接された、上記冗長式カスケード接続回路（２０）と、
を具え、上述の冗長式カスケード接続回路（２０）がパネルの点欠陥の発生を防止することを特徴とする、アクティブマトリックス有機発光ダイオードパネルの歩留りと均一性を向上する装置。
【請求項１４】
前記冗長式カスケード接続回路（２０）がバラストレジスタ（４）と有機発光ダイオード（５）で組成されたことを特徴とする、請求項１３に記載のアクティブマトリックス有機発光ダイオードパネルの歩留りと均一性を向上する装置。
【請求項１５】
前記バラストレジスタ（４）の一端が駆動トランジスタ（２）のドレイン（２３）に連接され、もう一端が有機発光ダイオード（５）に連接されたことを特徴とする、請求項１４に記載のアクティブマトリックス有機発光ダイオードパネルの歩留りと均一性を向上する装置。
【請求項１６】
前記有機発光ダイオード（５）が入力端（５１）と出力端（５２）を具え、が入力端（５１）が抵抗素子の一端に連接され、出力端（５２）が共同電極に連接されたことを特徴とする、請求項１４に記載のアクティブマトリックス有機発光ダイオードパネルの歩留りと均一性を向上する装置。
【請求項１７】
前記画素ユニット（１０）それぞれが、複数の冗長式カスケード接続回路（２０）に連接されたことを特徴とする、請求項１３に記載のアクティブマトリックス有機発光ダイオードパネルの歩留りと均一性を向上する装置。
【発明の詳細な説明】
【０００１】
【発明の属する技術分野】
本発明は一種のアクティブマトリックス有機発光ダイオード（ＡＭＯＬＥＤ）パネルの歩留りと均一性を向上する装置に係り、特に、伝統的なアクティブマトリックス有機発光ダイオードのアレイパネル中、製造工程能力及び微小粒子（ｐａｒｔｉｃｌｅｓ）の影響により、画素内の駆動トランジスタに不正常な短絡或いは電流過大現象が発生し、これにより電圧源が直接有機発光ダイオード（ＯＬＥＤ）に印加されて、これにより有機発光ダイオードが輝き過ぎたり、或いは短絡し、有機発光ダイオード（ＯＬＥＤ）の短絡により電圧源が直接共同電極部分に加えられて、全体のパネルが作業不能となる問題、或いは、製造工程能力及び微小粒子（ｐａｒｔｉｃｌｅｓ）の影響により、画素内の駆動トランジスタ（２）とＯＬＥＤの同時短絡により画素内の有機発光ダイオード素子が発光不能となり欠陥を発生することがある問題を解決するため、駆動トランジスタと有機発光ダイオードの間にバラストレジスタを加え、並びに駆動トランジスタ、バラストレジスタ、有機発光ダイオードを含むカスケード接続回路、或いはバラストレジスタと有機発光ダイオードを含むカスケード接続回路を冗長方式で設け、これにより上述の伝統的な技術における現象を抑止し、パネルの歩留りを高め、パネル表示の均一性を増加するようにした装置に関する。
【０００２】
【従来の技術】
周知のとおり、現在アクティブマトリックス有機発光ダイオードパネルに使用されている画素構造には図１に示されるようなもの、及び特許文献１に提出されたものがあり、それらに提示された画素ユニット（１０）は、スイッチングトランジスタ（１）、駆動トランジスタ（２）、保存素子（３）及び有機発光ダイオード（５）で組成されている。スイッチングトランジスタ（１）はセレクトライン（６）の信号の大きさにより導通状態とされ、このときデータ信号はデータライン（７）よりスイッチングトランジスタ（１）のドレインとソースを通り保存素子（３）内に保存され（或いはスイッチングトランジスタ導通後に保存コンデンサに対して充電を行う）、このとき、駆動トランジスタ（２）の特性により、保存素子（３）の跨電圧が駆動トランジスタ（２）が有機発光ダイオード（５）を駆動する電流の大きさを決定し、有機発光ダイオード（５）の特性により、異なる駆動電流が有機発光ダイオード（５）に異なる強度の光を発生させる。
【０００３】
しかし、製造工程能力及び微小粒子（ｐａｒｔｉｃｌｅｓ）の影響により、画素内の駆動トランジスタ（２）が不正常な短絡或いは電流過大現象を発生し、これにより電圧源が直接有機発光ダイオード（５）に加わり、これにより有機発光ダイオード（５）が輝き過ぎたり、短絡し、有機発光ダイオード（５）の短絡により電圧源（Ｖｄｄ）（８）が直接共同電極（ｃｏｍｍｏｎ）に加えられ、全体のパネルが画面表示不能となることがある。或いは製造工程能力及び微小粒子（ｐａｒｔｉｃｌｅｓ）の影響により、画素内で駆動トランジスタと有機発光ダイオードが同時に短絡し、画素内の有機発光ダイオードが発光不能となって欠陥を発生することがある。また、製造工程能力及び微小粒子（ｐａｒｔｉｃｌｅｓ）の影響により画素内の有機発光ダイオードが短絡して有機発光ダイオードが発光不能となり欠陥を発生することがある。
【０００４】
【特許文献１】
米国特許第６１５７３５６号明細書
【０００５】
【発明が解決しようとする課題】
以上の従来の技術における問題を解決するため、本発明は駆動トランジスタと有機発光ダイオードの間にバラストレジスタを増設し、並びに駆動トランジスタ、バラストレジスタ、ＯＬＥＤを具えるか、或いはバラストレジスタとＯＬＥＤを具えたカスケード回路を冗長方式で提供し、これにより上述の現象を抑止し、これによりパネルの歩留りを高めると共に、パネルの表示の均一性を増す。
【０００６】
本発明の主要な目的は、上述の従来の技術の欠点を解決し、欠点の存在を無くすことにあり、即ち、本発明は駆動トランジスタと有機発光ダイオードの間にバラストレジスタを増設し、駆動トランジスタに短絡或いは電流過大現象が発生する時、電圧源Ｖｄｄが直接有機発光ダイオードに加えられないようにし、先に抵抗を経由させてから有機発光ダイオードに至るようにし、このＯＬＥＤにかかる電圧を減らし、有機発光ダイオードが輝き過ぎたり或いは電流過大により短絡を発生するのを防止し、もし有機発光ダイオードに短絡が発生した場合は、バラストレジスタの加入により、電圧源と共同電極が共に直接短絡を発生しないようにし、これにより全体のパネルに点欠陥（ｐｏｉｎｔ  ｄｅｆｅｃｔ）があっても正常に画面表示が行えるようにする。
【０００７】
上述の目的を達成するための技術手段として、本発明はバラストレジスタの一端を駆動トランジスタのドレインに連接し、もう一端を有機発光ダイオードの入力端に連接する。
【０００８】
【課題を解決するための手段】
請求項１の発明は、アクティブマトリックス有機発光ダイオードパネルの歩留りと均一性を向上する装置において、このパネルが複数の画素ユニット（１０）で組成され、各画素ユニット（１０）が、
スイッチングトランジスタ（１）とされ、その上にゲート（１１）、ドレイン（１２）とソース（１３）を具え、該ソース（１３）とゲート（１１）がそれぞれデータライン（７）とセレクトライン（６）に連接された、上記スイッチングトランジスタ（１）と、
駆動トランジスタ（２）とされ、その上に、ゲート（２２）、ドレイン（２３）とソース（２１）を具え、ソース（２１）が電圧源（８）入力端に連接され、ゲート（２２）がスイッチングトランジスタ（１）のソース（１３）に連接された、上記駆動トランジスタ（２）と、
保存素子（３）とされ、その一端が上述の駆動トランジスタ（２）のソース（２１）に連接されるか共同電極に連接され、もう一端が上述のスイッチングトランジスタ（１）のソース（１３）と駆動トランジスタ（２）のゲート（２２）に連接された、上記保存素子（３）と、
バラストレジスタ（４）とされ、その一端が上述の駆動トランジスタ（２）のドレイン（２３）に連接された、上記バラストレジスタ（４）と、
有機発光ダイオード（５）とされ、その入力端（５１）が上述のバラストレジスタ（４）の一端（４２）に連接され、出力端（５２）が共同電極に連接された、上記有機発光ダイオード（５）と、
を具え、画素ユニット（１０）の駆動トランジスタ（２）及び有機発光ダイオード（５）が短絡時に、バラストレジスタ（４）により電圧源（８）及び共同電極が共に直接短絡するのを防止し、全体のパネルに点欠陥があっても正常に作業できることを特徴とする、アクティブマトリックス有機発光ダイオードパネルの歩留りと均一性を向上する装置としている。
請求項２の発明は、前記スイッチングトランジスタ（１）及び駆動トランジスタ（２）がｎチャネル或いはｐチャネルのＭＯＳＦＥＴ或いはＴＦＴのいずれかで形成されたことを特徴とする、請求項１に記載のアクティブマトリックス有機発光ダイオードパネルの歩留りと均一性を向上する装置としている。
請求項３の発明は、前記保存素子（３）がコンデンサで組成されたことを特徴とする、請求項１に記載のアクティブマトリックス有機発光ダイオードパネルの歩留りと均一性を向上する装置としている。
請求項４の発明は、前記バラストレジスタ（４）が抵抗器で組成されたことを特徴とする、請求項１に記載のアクティブマトリックス有機発光ダイオードパネルの歩留りと均一性を向上する装置としている。
請求項５の発明は、前記バラストレジスタ（４）が可変抵抗器で組成されたことを特徴とする、請求項１に記載のアクティブマトリックス有機発光ダイオードパネルの歩留りと均一性を向上する装置としている。
請求項６の発明は、前記バラストレジスタ（４）が抵抗特性を具えた素子で組成されたことを特徴とする、請求項１に記載のアクティブマトリックス有機発光ダイオードパネルの歩留りと均一性を向上する装置としている。
請求項７の発明は、アクティブマトリックス有機発光ダイオードパネルの歩留りと均一性を向上する装置において、このパネルが複数の画素ユニット（１０）で組成され、各画素ユニット（１０）が、
スイッチングトランジスタ（１）とされ、その上にゲート（１１）、ドレイン（１２）とソース（１３）を具え、該ドレイン（１２）とゲート（１１）がそれぞれデータライン（３０）とセレクトライン（４０）に連接された、上記スイッチングトランジスタ（１）と、
冗長式カスケード接続回路（９）とされ、上述のスイッチングトランジスタ（１）のソース（１３）に連接された、上記冗長式カスケード接続回路（９）と、保存素子（３）とされ、その一端が上述の冗長式カスケード接続回路（９）の電圧源（８）入力端に連接され、もう一端が上述のスイッチングトランジスタ（１）のソース（１３）に連接された、上記保存素子（３）と、
を具え、上述の冗長式カスケード接続回路（９）がパネルの点欠陥の発生を防止することを特徴とする、アクティブマトリックス有機発光ダイオードパネルの歩留りと均一性を向上する装置としている。
請求項８の発明は、前記冗長式カスケード接続回路（９）が駆動トランジスタ（２）、バラストレジスタ（４）及び有機発光ダイオード（５）を直列に連接して組成されたことを特徴とする、請求項７に記載のアクティブマトリックス有機発光ダイオードパネルの歩留りと均一性を向上する装置としている。
請求項９の発明は、前記駆動トランジスタ（２）がゲート（１１）、ドレイン（１２）及びソース（１３）を具え、ソース（１３）が電圧源（８）入力端に連接され、ゲート（１１）がスイッチングトランジスタ（１）のソース（１３）と保存素子（３）の一端に連接され、ドレイン（１２）がバラストレジスタ（４）の一端に連接されたことを特徴とする、請求項８に記載のアクティブマトリックス有機発光ダイオードパネルの歩留りと均一性を向上する装置としている。
請求項１０の発明は、前記バラストレジスタ（４）の一端（４１）が駆動トランジスタ（２）のドレイン（２３）に連接され、もう一端（４２）が有機発光ダイオード（５）の入力端（５１）に連接されたことを特徴とする、請求項８に記載のアクティブマトリックス有機発光ダイオードパネルの歩留りと均一性を向上する装置としている。
請求項１１の発明は、前記有機発光ダイオード（５）の入力端（５１）がバラストレジスタ（４）の一端（４２）に連接され、有機発光ダイオード（５）の出力端（５２）が共同電極に連接されたことを特徴とする、請求項８に記載のアクティブマトリックス有機発光ダイオードパネルの歩留りと均一性を向上する装置としているとしている。
請求項１２の発明は、前記画素ユニット（１０）それぞれに複数の冗長式カスケード接続回路（９）が連接されたことを特徴とする、請求項７に記載のアクティブマトリックス有機発光ダイオードパネルの歩留りと均一性を向上する装置としている。
請求項１３の発明は、アクティブマトリックス有機発光ダイオードパネルの歩留りと均一性を向上する装置において、このパネルが複数の画素ユニット（１０）で組成され、各画素ユニット（１０）が、
スイッチングトランジスタ（１）とされ、その上にゲート（１１）、ドレイン（１２）とソース（１３）を具え、該ドレイン（１２）とゲート（１１）がそれぞれデータライン（３０）とセレクトライン（４０）に連接された、上記スイッチングトランジスタ（１）と、
駆動トランジスタ（２）とされ、その上に、ゲート（２２）、ドレイン（２３）とソース（２１）を具え、ソース（１３）が電圧源（８）入力端に連接され、ゲート（２２）がスイッチングトランジスタ（１）のソース（１３）に連接された、上記駆動トランジスタ（２）と、
保存素子（３）とされ、その一端が上述の駆動トランジスタ（２）の電圧源（８）入力端或いは共同電極に連接され、もう一端が上述のスイッチングトランジスタ（１）のソース（１３）と駆動トランジスタ（２）のゲート（２２）に連接された、上記保存素子（３）と、
冗長式カスケード接続回路（２０）とされ、上述の駆動トランジスタ（２）のドレイン（２３）に連接された、上記冗長式カスケード接続回路（２０）と、
を具え、上述の冗長式カスケード接続回路（２０）がパネルの点欠陥の発生を防止することを特徴とする、アクティブマトリックス有機発光ダイオードパネルの歩留りと均一性を向上する装置としている。
請求項１４の発明は、前記冗長式カスケード接続回路（２０）がバラストレジスタ（４）と有機発光ダイオード（５）で組成されたことを特徴とする、請求項１３に記載のアクティブマトリックス有機発光ダイオードパネルの歩留りと均一性を向上する装置としているとしている。
請求項１５の発明は、前記バラストレジスタ（４）の一端が駆動トランジスタ（２）のドレイン（２３）に連接され、もう一端が有機発光ダイオード（５）に連接されたことを特徴とする、請求項１４に記載のアクティブマトリックス有機発光ダイオードパネルの歩留りと均一性を向上する装置としている。
請求項１６の発明は、前記有機発光ダイオード（５）が入力端（５１）と出力端（５２）を具え、が入力端（５１）が抵抗素子の一端に連接され、出力端（５２）が共同電極に連接されたことを特徴とする、請求項１４に記載のアクティブマトリックス有機発光ダイオードパネルの歩留りと均一性を向上する装置としている。
請求項１７の発明は、前記画素ユニット（１０）それぞれが、複数の冗長式カスケード接続回路（２０）に連接されたことを特徴とする、請求項１３に記載のアクティブマトリックス有機発光ダイオードパネルの歩留りと均一性を向上する装置としている。
【０００９】
【発明の実施の形態】
図２に示されるのは本発明の第１実施例のアクティブマトリックス有機発光ダイオードパネルの画素ユニット表示図である。図示されるように、本発明のアクティブマトリックス有機発光ダイオードパネルの歩留りと均一性を向上する装置は、各画素ユニットの駆動トランジスタ及び有機発光ダイオードの間にバラストレジスタ（ｂａｌｌａｓｔ  ｒｅｓｉｓｔｏｒ）が設けられ、このバラストレジスタの存在により駆動トランジスタ及び有機発光ダイオードがいずれも短絡する時に、大量のリーク電流が電圧源Ｖｄｄより共同電極に注入して全体のパネルが画面表示不能となるのを防止する。
【００１０】
上述の装置を達成するため、本発明の採用する画素ユニット（１０）は、スイッチングトランジスタ（１）、駆動トランジスタ（２）、保存素子（３）、バラストレジスタ（４）及び有機発光ダイオード（５）で組成される。
【００１１】
該スイッチングトランジスタ（１）は、ｎチャネル或いはｐチャネルのＭＯＳＦＥＴ或いはＴＦＴのいずれかで組成されるが、これに限定されるわけではない。このスイッチングトランジスタ（１）のゲート（１１）、ドレイン（１２）はそれぞれセレクトライン（６）とデータライン（７）に連接されている。
【００１２】
該駆動トランジスタ（２）は、ｎチャネル或いはｐチャネルのＭＯＳＦＥＴ或いはＴＦＴのいずれかで組成されるが（図２ではｐチャネルとされている）、これに限定されるわけではない。この駆動トランジスタ（２）のソース（２１）は電圧源（８）に連接され、駆動トランジスタ（２）のゲート（２２）は上述のスイッチングトランジスタ（１）のソース（２１）に連接されている。
【００１３】
該保存素子（３）はコンデンサで組成されるが、これに限定されるわけではない。この保存素子（３）の一端は駆動トランジスタ（２）のソース（２１）に連接され、もう一端はスイッチングトランジスタ（１）のソース（１３）と駆動トランジスタ（２）のゲート（２２）の連接部分に連接されている。
【００１４】
該バラストレジスタ（４）は抵抗器或いは抵抗特性を有する素子、抵抗値を調整できる可変抵抗器のいずれかで組成されるが、これに限定されるわけではない。このバラストレジスタ（４）の一端（４１）は駆動トランジスタ（２）のドレイン（２３）に連接され、もう一端（４２）は有機発光ダイオード（５）の入力端（５１）に連接される。
【００１５】
該有機発光ダイオード（５）の入力端（５１）と上述のバラストレジスタ（４）の一端（４２）は連接され、有機発光ダイオード（５）の出力端（５２）は共同電極（ｃｏｍｍｏｎ）に連接される。
【００１６】
この画素ユニットが選択される時、スイッチングトランジスタ（１）がセレクトライン（６）の信号の大きさにより導通状態を呈し、このとき、データ信号はデータライン（７）よりスイッチングトランジスタ（１）のドレイン（１２）とソース（１３）を通過して保存素子（３）内に保存され（またはスイッチングトランジスタ導通後に保存コンデンサに対する充電が行われる）、このとき、駆動トランジスタ（２）の特性により、保存素子（３）に掛けられる電圧が駆動トランジスタ（２）が有機発光ダイオード（５）を駆動する電流の大きさを決定し、有機発光ダイオード（５）の特性により、異なる駆動電流で有機発光ダイオード（５）に異なる強度の光を発射させる。駆動トランジスタ（２）が製造工程能力或いは微小粒子（ｐａｒｔｉｃｌｅｓ）の影響を受けて、駆動トランジスタ（２）に短絡或いは電流過大現象が発生する時、駆動トランジスタ（２）と有機発光ダイオード（５）の間にバラストレジスタ（４）が設置されて、電圧源Ｖｄｄ（８）が直接に有機発光ダイオード（５）にかかることがなく、先にバラストレジスタ（４）を経由した後に有機発光ダイオード（５）に加えられ、この有機発光ダイオード（５）に加わる電圧が減らされ、これにより有機発光ダイオード（５）の輝きすぎ或いは電流過大による短絡が防止される。しかしもし有機発光ダイオード（５）に短絡が発生しても、バラストレジスタ（４）の加入により電圧源（８）と共同電極が直接に一緒に短絡することがないため、全体のパネルに点欠陥があっても正常な画面表示が行える。
【００１７】
図３に示されるのは本発明の第２実施例である。本実施例では、画素ユニット（１０）の駆動トランジスタ（２）、バラストレジスタ（４）及び有機発光ダイオード（５）が冗長式カスケード接続回路（９）は冗長方式で設けられ、そのうち一組の駆動トランジスタ（２）と有機発光ダイオード（５）が短絡する時、バラストレジスタ（４）の加入により電圧源（８）と接地が直接一緒に短絡することがなく、画素内のその他の駆動トランジスタ（２）、バラストレジスタ（４）及び有機発光ダイオード（５）のカスケード接続回路が正常に作業し（画素ユニット内のその他の有機発光ダイオードは発光できる）、これによりパネルの点欠陥の発生を防止できる。
【００１８】
図４に示されるのは本発明の第３実施例である。本実施例では、画素ユニット（１０）のバラストレジスタ（４）及び有機発光ダイオード（５）が冗長式カスケード接続回路（２０）を形成し、この冗長式カスケード接続回路（２０）は冗長方式で設けられ、そのうち一つの有機発光ダイオード（５）が短絡する時、バラストレジスタ（４）の加入により駆動トランジスタ（２）のドレイン（２３）が直接共同電極に短絡して駆動電流の大きな変異を形成することがなく、画素内のその他のバラストレジスタ（４）と有機発光ダイオード（５）のカスケード接続回路が正常に作業し（画素ユニット内のその他の有機発光ダイオードは発光できる）、これによりパネルの点欠陥の発生を防止できる。
【００１９】
図５に示されるのは本発明の第４実施例である。本実施例では、複数の画素ユニット（１０）がアレイ配列方式で有機発光ダイオードパネル構造を形成し、並びに同一列の画素ユニット（１０）のスイッチングトランジスタ（１）のゲート（１１）がセレクトライン（４０）に連接され、同一行の画素ユニット（１０）のスイッチングトランジスタ（１）のドレイン（１２）がデータライン（３０）に連接されている。
【００２０】
図６は本発明の第５実施例を示す。この実施例では、駆動トランジスタ（２）、バラストレジスタ（４）及び有機発光ダイオード（５）が形成する冗長式カスケード接続回路（９）を具えた画素ユニット（１０）が連接されて有機発光ダイオードパネル構造を形成し、並びに同一列の画素ユニット（１０）のスイッチングトランジスタ（１）のゲート（１１）がセレクトライン（４０）に連接され、同一行の画素ユニット（１０）のスイッチングトランジスタ（１）のドレイン（１２）がデータライン（３０）に連接されている。且つ、各画素ユニット（１０）の任意の一組の駆動トランジスタ（２）及び有機発光ダイオード（５）に短絡が発生する時、バラストレジスタ（４）の加入により電圧源（８）と共同電極が直接一緒に短絡せず、その他の駆動トランジスタ（２）、バラストレジスタ（４）と有機発光ダイオード（５）のカスケード接続回路は正常に作業し（その他の有機発光ダイオードは発光できる）、こうしてパネルの点欠陥の発生を防止できる。
【００２１】
図７は本発明の第６実施例を示す。この実施例では、バラストレジスタ（４）及び有機発光ダイオード（５）が冗長式カスケード接続回路（９）を形成している画素ユニット（１０）が連接されて有機発光ダイオードパネル構造が形成され、並びに同一列の画素ユニット（１０）のスイッチングトランジスタ（１）のゲート（１１）がセレクトライン（４０）に連接され、同一行の画素ユニット（１０）のスイッチングトランジスタ（１）のドレイン（１２）がデータライン（３０）に連接されている。且つ、そのうち一つの有機発光ダイオード（５）が短絡する時、バラストレジスタ（４）の加入により駆動トランジスタ（２）のドレイン（２３）が直接共同電極と短絡して駆動電流の大きな変異を発生することがなく、その他のバラストレジスタ（４）と有機発光ダイオード（５）のカスケード接続回路は正常に作業し（その他の有機発光ダイオードは発光できる）、こうしてパネルの点欠陥の発生を防止できる。
【００２２】
さらに、上述のバラストレジスタ（４）がパッシブタイプ有機発光ダイオードのカソード或いはアノードに応用される時、クロストーク現象を改善できる。
以上の実施例は本発明の実施範囲を限定するものではなく、本発明に基づきなしうる細部の修飾或いは改変は、いずれも本発明の請求範囲に属するものとする。
【００２３】
【発明の効果】
本発明はアクティブマトリックス有機発光ダイオードパネルの歩留りと均一性を向上する装置を提供し、それは、従来の技術の欠点を解決し、欠点の存在を無くすことができる。即ち、本発明は駆動トランジスタと有機発光ダイオードの間にバラストレジスタを増設し、駆動トランジスタに短絡或いは電流過大現象が発生する時、電圧源Ｖｄｄが直接有機発光ダイオードに加えられないようにし、先に抵抗を経由させてから有機発光ダイオードに至るようにし、このＯＬＥＤにかかる電圧を減らし、有機発光ダイオードが輝き過ぎたり或いは電流過大により短絡を発生するのを防止し、もし有機発光ダイオードに短絡が発生した場合は、バラストレジスタの加入により、電圧源と共同電極が共に直接短絡を発生しないようにし、これにより全体のパネルに点欠陥（ｐｏｉｎｔ  ｄｅｆｅｃｔ）があっても正常に画面表示が行えるようにする。
【図面の簡単な説明】
【図１】周知のアクティブマトリックス有機発光ダイオードパネルの単一画素ユニットの構造表示図である。
【図２】本発明の第１実施例のアクティブマトリックス有機発光ダイオードパネルの単一画素ユニットの構造表示図である。
【図３】本発明の第２実施例図である。
【図４】本発明の第３実施例図である。
【図５】本発明の第４実施例図である。
【図６】本発明の第５実施例図である。
【図７】本発明の第６実施例図である。
【符号の説明】
１０  画素ユニット
１  スイッチングトランジスタ
１１  ゲート
１２  ドレイン
１３  ソース
６  セレクトライン
７  データライン
２  駆動トランジスタ
２１  ソース
２２  ゲート
２３  ドレイン
８  電圧源
３  保存素子
４  バラストレジスタ
４１  一端
４２  一端
５  有機発光ダイオード
５１  入力端
５２  出力端
３０  データライン
４０  セレクトライン
９  冗長式カスケード接続回路
【図１】
2004247130.tif 000003
【図２】
2004247130.tif 000004
【図３】
2004247130.tif 000005
【図４】
2004247130.tif 000006
【図５】
2004247130.tif 000007
【図６】
2004247130.tif 000008
【図７】
2004247130.tif 000009